(57)【要約】【課題】水溶性と非水溶性の付着物が混合した混合性の付着物を洗浄除去することが可能な洗浄剤組成物を提供すること。【解決手段】被洗浄物に付着した付着物を洗浄除去するための洗浄剤組成物である。洗浄剤組成物は、炭化水素系の基材と界面活性剤と水とからなる。界面活性剤の含有量は、洗浄剤組成物全体において０．１〜５０重量％であり、水の含有量は、０．０１〜５重量％であり、残部が、基材よりなること。基材は、軽油あるいはガソリンであることが好ましい。基材は、有機溶剤であってもよい。基材は、３０℃における動粘度が０．５〜２０ｍｍ2／ｓであることが好ましい。【選択図】なし【特許請求の範囲】
【請求項１】
被洗浄物に付着した付着物を洗浄除去するための洗浄剤組成物において、
該洗浄剤組成物は、炭化水素系の基材と界面活性剤と水とからなり、
上記界面活性剤の含有量は、上記洗浄剤組成物全体において０．１〜５０重量％であり、
上記水の含有量は、０．０１〜５重量％であり、
残部が、上記基材よりなることを特徴とする洗浄剤組成物。
【請求項２】
請求項１において、上記基材は、軽油あるいはガソリンであることを特徴とする洗浄剤組成物。
【請求項３】
請求項１において、上記基材は、有機溶剤であることを特徴とする洗浄剤組成物。
【請求項４】
請求項１〜３のいずれか一項において、上記基材は、３０℃における動粘度が０．５〜２０ｍｍ2／ｓであることを特徴とする洗浄剤組成物。
【請求項５】
請求項１〜４のいずれか一項において、上記界面活性剤は、ポリエチレングリコールラウリルアミンであることを特徴とする洗浄剤組成物。
【請求項６】
請求項１〜５のいずれか一項において、更に、アルコールを添加することを特徴とする洗浄剤組成物。
【請求項７】
請求項６において、上記アルコールの含有量は、上記界面活性剤に対して、重量％で０．２倍以上であることを特徴とする洗浄剤組成物。
【請求項８】
請求項６又は７において、上記アルコールは、水酸基を１つ以上有する炭素数２〜６の物質であることを特徴とする洗浄剤組成物。
【請求項９】
請求項１〜８のいずれか一項において、上記洗浄剤組成物は、上記被洗浄物としての、内燃機関の燃料と接触する部品に付着する付着物を洗浄除去する際に用いられることを特徴とする洗浄剤組成物。
【発明の詳細な説明】
【技術分野】
【０００１】
本発明は、洗浄剤組成物に関する。
【背景技術】
【０００２】
従来より、燃料噴射機器の噴孔部やエンジン内部で代表される、内燃機関の燃料と接触する部品等には、長期間使用することにより、付着物が付着する。これらの部品を適正に使用するためには、付着物を洗浄する必要があり、付着物の除去には、ポリブテンアミンやポリエーテルアミン等を主成分にした洗浄剤が用いられている。
【０００３】
しかしながら、これらの洗浄剤は、カーボン系の付着物を洗浄除去することはできるが、一般的に、インジェクタ燃料噴射機器の内部に付着するナトリウムやカリウム化合物からなる水溶性の付着物と、燃料劣化物や添加剤等からなる非水溶性の付着物が混合した混合性の付着物についてほとんど洗浄除去することができない。
従って、これらの混合性の付着物に対し、洗浄効果の高い洗浄剤の開発が望まれていた。
【０００４】
【特許文献１】特開昭５７−１０１６７６号公報
【特許文献２】特開平２−４２８７８号公報
【発明の開示】
【発明が解決しようとする課題】
【０００５】
本発明は、かかる従来の問題点に鑑みてなされたものであって、水溶性と非水溶性の付着物が混合した混合性の付着物を洗浄除去することが可能な洗浄剤組成物を提供しようとするものである。
【課題を解決するための手段】
【０００６】
本発明は、被洗浄物に付着した付着物を洗浄除去するための洗浄剤組成物において、
該洗浄剤組成物は、炭化水素系の基材と界面活性剤と水とからなり、
上記界面活性剤の含有量は、上記洗浄剤組成物全体において０．１〜５０重量％であり、
上記水の含有量は、０．０１〜５重量％であり、
残部が、上記基材よりなることを特徴とする洗浄剤組成物にある（請求項１）。
【０００７】
上記洗浄剤組成物は、上述したように、炭化水素系の基材中の界面活性剤と水の含有量を調整することにより、水溶性と非水溶性の付着物を同時に洗浄除去することが可能な洗浄剤組成物が得られるものである。
すなわち、界面活性剤を上記洗浄剤組成物全体において０．１〜５０重量％の範囲で含有することにより、洗浄剤組成物に非水溶性の付着物に対する洗浄効果を与えると共に、上記水を安定的に分散させることができる。
また、上記水を、０．０１〜５重量％の範囲で含有することにより、洗浄剤組成物に、水溶性の付着物に対する洗浄除去効果を与えることができる。
【０００８】
そして、このように、水との親和性が低い炭化水素系の基材中に、界面活性剤と水が安定的に分散した洗浄剤組成物を得ることができるので、界面活性剤により非水溶性の付着物の洗浄除去を行うことができると共に、水によって水溶性の付着物の洗浄除去を可能にすることができ、上述した混合性の付着物を洗浄除去することができる。
【０００９】
更に、水の含有量を上記特定の範囲に限定して安定的に分散させることによって、上記被洗浄物が水によって腐食しやすい材質であっても、洗浄することによる腐食の発生を抑制することができる。
これにより、本発明によれば、水溶性と非水溶性の付着物が混合した混合性の付着物を
洗浄除去することが可能な洗浄剤組成物を得ることができる。
【発明を実施するための最良の形態】
【００１０】
本発明の洗浄剤組成物は、炭化水素系の基材と界面活性剤と水とからなる。
上記炭化水素系の基材としては、後述するように、例えば、軽油、ガソリン、有機溶剤等が挙げられる。
【００１１】
また、上記界面活性剤としては、例えば、アニオン系界面活性剤、カチオン系界面活性剤、ノニオン系界面活性剤、両性イオン系界面活性剤、高分子界面活性剤、フッ素系界面活性剤、反応性界面活性剤等が挙げられる。
【００１２】
上記アニオン系界面活性剤としては、例えば、脂肪酸塩、アルキルベンゼンスルホン酸塩、アルキル硫酸塩、アルファオレフィンスルホン酸塩、アルキルエーテル硫酸エステル塩等が挙げられる。
また、上記カチオン系界面活性剤としては、例えば、アルキルトリメチルアンモニウム塩、ジアルキルジメチルアンモニウムクロリド、アルキルピリジニウムクロリド等が挙げられる。
【００１３】
また、上記ノニオン系界面活性剤としては、例えば、脂肪酸ジエタノールアミド、ポリオキシエチレンアルキルエーテル、ポリオキシエチレンアルキルフェニルエーテル等が挙げられる。
また、上記両性イオン系界面活性剤としては、例えば、アルキルアミンオキシド、アルキルアミノ脂肪酸塩、アルキルカルボキシベタイン等が挙げられる。
【００１４】
また、上記高分子界面活性剤としては、例えば、カチオン性セルロース誘導体、ポリカルボン酸、ポリスチレンスルホン酸などが挙げられる。
また、上記フッ素系界面活性剤としては、例えば、アニオン系フッ素系界面活性剤、カチオン系フッ素系界面活性剤、ノニオン系フッ素系界面活性剤、両性系フッ素系界面活性剤等が挙げられる。
また、上記反応性界面活性剤としては、例えば、アリル系反応性界面活性剤等が挙げられる。
【００１５】
また、上記界面活性剤の含有量は、上記洗浄剤組成物全体において０．１〜５０重量％である。
上記界面活性剤の含有量が上記洗浄剤組成物全体において０．１重量％未満の場合には、非水溶性の付着物に対する洗浄除去の効果を十分に得られないという問題があり、一方、上記界面活性剤の含有量が５０重量％を超える場合には、粘度が大きくなり、取り扱いが困難になるという問題がある。
【００１６】
また、上記水の含有量は、０．０１〜５重量％である。
上記水の含有量が０．０１重量％未満の場合には、水溶性の付着物に対する洗浄除去の効果を十分に得られないという問題があり、一方、上記水の含有量が５重量％を超える場合には、腐食の原因となる等、上記被洗浄物を用いたシステムに悪影響を与えるという問題がある。
【００１７】
また、上記水と界面活性剤との含有比率は、水／界面活性剤が０．１以下であることが好ましい。この含有比率が０．１以下の場合には、水をより安定的に分散することができる。上記含有比率が０．１を超える場合には、水が安定的に分散されず、上記被洗浄物を用いたシステムに悪影響を与えるおそれがある。
【００１８】
本発明の洗浄剤組成物は、上記基材は、軽油あるいはガソリンであることが好ましい（請求項２）。
軽油あるいはガソリンは、比較的揮発性が高く、これを基材として用いることにより、付着物の洗浄除去後にシステム中に洗浄剤組成物が残存しにくく、また、残存していても問題がほとんどない。特に、後述するごとく、被洗浄物が、内燃機関の燃料と接触する部品である場合には、その燃料が軽油あるいはガソリンである場合がほとんどであり、非常に有効である。
また、上記軽油はＪＩＳ  K  ２２０４に規定されたものを指し、上記ガソリンはＪＩＳ  K  ２２０２規定されたものを指す。
【００１９】
また、上記基材は、有機溶剤とすることもできる（請求項３）。
この場合も、基本的に上記と同様の効果を得ることができる。
【００２０】
また、上記基材は、３０℃における動粘度が０．５〜２０ｍｍ2／ｓであることが好ましい（請求項４）。
この場合には、良好な流動性を得ることができる。
上記動粘度が０．５ｍｍ2／ｓ未満の場合には、内燃機関の燃料と接触するしゅう動部品の摩耗が増加するおそれがあり、一方、上記動粘度が２０ｍｍ2／ｓを超える場合には、粘性が高くなり、取り扱いが困難になるおそれがある。
【００２１】
また、上記界面活性剤は、ポリエチレングリコールラウリルアミンであることが好ましい（請求項５）。
この場合には、水溶性と非水溶性の付着物に対して、特に優れた洗浄除去性を発揮することができる。
【００２２】
また、上記洗浄剤組成物は、更に、アルコールを添加することが好ましい（請求項６）。
この場合には、上記洗浄剤組成物の凝固点を低下させることができるため、冬場など、低温の環境下においても、作業時の流動性を確保することができる。
【００２３】
また、上記アルコールの含有量は、上記界面活性剤に対して、重量％で０．２倍以上であることが好ましい（請求項７）。
この場合には、特に優れた流動性を得ることができる。
【００２４】
また、上記アルコールは、水酸基を１つ以上有する炭素数２〜６の物質であることが好ましい（請求項８）。
この場合にも、特に優れた流動性を得ることができる。
【００２５】
上記アルコールの炭素数が１の場合には、上記被洗浄物を用いたシステムのゴムや樹脂部品に悪影響を与えるおそれがあり、一方、上記アルコールの炭素数が７以上の場合には、低温時の流動性を確保できないおそれがある。
また、上記アルコールとしては、例えば、イソプロピルアルコール、イソブチルアルコール、ジエチレングリコールモノエチルエーテル等が挙げられる。
【００２６】
また、上記洗浄剤組成物は、上記被洗浄物としての、内燃機関の燃料と接触する部品に付着する付着物を洗浄除去する際に用いられることが好ましい（請求項９）。
内燃機関の燃料と接触する部品に付着する付着物を洗浄除去する場合には、上述したように、上記付着物に、水溶性と非水溶性の付着物が含まれている場合が多く、これを従来の洗浄剤により同時に洗浄除去することは困難である。この場合には、本発明の洗浄剤組成物を用いると、非水溶性の付着物を洗浄除去できる界面活性剤と、水溶性の付着物を洗浄除去することができる水を基材中に安定的に分散させることが可能であるため、非常に有効である。なお、本発明は、被洗浄物である洗浄除去する対象を特定することなく、多目的に利用が可能であることは言うまでもない。
【００２７】
なお、本発明の洗浄剤組成物は、上記のごとく、基本組成が、基材、界面活性剤、水、あるいは、これにアルコールを加えたものよりなる。しかしながら、液体状のものであることから、更に他の成分を加えることが可能である。そのため、実使用においては、本発明の作用効果を阻害しない範囲で、種々の目的により他の成分を更に添加しても良い。
【実施例】
【００２８】
（実施例１）
本例は、本発明の洗浄剤組成物にかかる実施例について説明する。
本例の洗浄剤組成物は、炭化水素系の基材と界面活性剤と水とからなる洗浄剤組成物である。
本発明の実施例及び比較例として、表１、表２に示す組成の洗浄剤組成物（試料Ｅ１〜試料Ｅ１０、試料Ｃ１〜試料Ｃ３）を作製した。
【００２９】
【表１】
2008081627.tif 000002
【００３０】
表１に示すように、本発明の実施例としての試料Ｅ１〜試料Ｅ１０は、上記界面活性剤の含有量は、上記洗浄剤組成物全体において０．０１〜２０重量％であり、上記水の含有量は、０．０１〜５重量％であり、残部が、炭化水素系の基材よりなる。
【００３１】
【表２】
2008081627.tif 000003
【００３２】
表１及び表２の記号を説明する。
Ａ：ポリエチレングリコール・ラウリルアミン、
Ｂ：ポリエチレングリコール・オレイルエーテル、
Ｃ：ポリエチレングリコール・モノオレエート、
Ｄ：ポリエチレングリコール・モノラウレート、
Ｅ：ソルビタン・モノオレエート、
Ｆ：ポリオキシエチレン・オクチルフェノール・エーテル、
Ｇ：ポリオキシエチレン・ノニルフェノール・エーテル。
【００３３】
次に、各試料（試料Ｅ１〜試料Ｅ１０、試料Ｃ１〜試料Ｃ３）について、洗浄性評価試験を行い、洗浄性を評価し、総合評価を行った。結果を、表１及び表２に合わせて示す。
＜洗浄性評価試験＞
洗浄性評価試験は、まず、水溶性付着物ならびに非水溶性付着物を金属試験片（ＳＫＨ２）に付着させたテストピースを作製した。具体的には、水溶性付着物に含まれる代表的な物質の試薬を水に１５％溶解させた溶液を作製し、金属試験片を溶液中に浸漬後引き上げ、加熱乾燥させることにより金属試験片に付着させた。次に非水溶性付着物に含まれる代表的な物質の試薬を基材に１５％溶解させた溶液を作製し、水溶性付着物が付着した金属試験片を溶液中に浸漬後引き上げ、加熱乾燥させることにより金属試験片に付着させた。
【００３４】
その後、このテストピースを各試料中で１時間スターラ攪拌を行い、洗浄除去を行った。その後、付着物の減少量を電子天秤を用いて測定し、洗浄性を評価した。評価が◎及び○のものを合格、評価が×のものを不合格とする。
【００３５】
（評価基準）
◎：付着物の減少量が８１〜１００％のもの。 
○：付着物の減少量が３１〜８０％のもの。
×：付着物の減少量が０〜３０％のもの。
【００３６】
＜腐食性評価＞
上記洗浄性評価試験後の金属試験片の表面に腐食の兆候が見られるか否かを目視にて観察し、腐食性を評価した。評価が○のものを合格とし、評価が×のものを不合格とした。
（評価基準）
○：腐食の兆候が確認されないもの。
×：腐食の兆候が確認されたもの。
【００３７】
＜総合評価＞
上記洗浄性評価及び上記腐食評価から、総合的に評価を行った。評価が◎及び○のものを合格とし、×のものを不合格とした。
（評価基準）
◎：洗浄性評価が◎であり、腐食性評価が○のもの。
○：洗浄性評価及び腐食性評価が○のもの。
×：洗浄性評価、腐食性評価のいずれか一方でも×のもの。
【００３８】
表１より知られるごとく、本発明の実施例としての試料Ｅ１〜試料Ｅ１０は、付着物の洗浄除去を良好に行うことができた。
また、表２より知られるごとく、本発明の比較例としての試料Ｃ１は、界面活性剤の含有量及び水分の含有量が本発明の上限を上回るため、粘度が大きくなり、取り扱いが困難であった。
また、本発明の比較例としての試料Ｃ２は、界面活性剤及び水の含有量が本発明の下限を下回るため、洗浄性が不合格であった。
また、本発明の比較例としての試料Ｃ３は、水の含有量が本発明の上限を上回るため、金属試験片に金属腐食の兆候が見られ、不合格であった。
【００３９】
（実施例２）
本例は、本発明の洗浄剤組成物について、低温流動限界評価試験を行い、低温流動限界を評価した。
まず、表３に示す比率で、水、界面活性剤、及びアルコールを含有する洗浄剤組成物（試料Ｅ１１〜試料Ｅ１４）を作製した。
各試料について、−５℃で流動するか否かを試験し、低温流動限界を評価した。−５℃で流動するものを○、−５℃で流動しないものを△とする。結果を表３に合わせて示す。
【００４０】
【表３】
2008081627.tif 000004
【００４１】
表３より知られるごとく、アルコールの含有量が本発明の好ましい範囲の下限を下回る試料Ｅ１１及び試料Ｅ１２は、−５℃において、流動しなかった。
また、アルコールの含有量が本発明の好ましい範囲内である試料Ｅ１３及び試料１４は、低温流動限界が優れている。
これにより、本発明の洗浄剤組成物は、作業性の観点から、アルコールを、上記界面活性剤に対して、重量％で０．２倍以上含有していることが好ましいことがわかる。